(57)【要約】      （修正有）【課題】ボルトのネジ部への塗料などの堆積およびボルトのネジ部の損傷を防止できるパイプクランプ装置を提供する。【解決手段】クランプ装置が、パイプを受容するパイプ受容部１１ａを備えたベース１１と、ベースに回動可能に取付けられた少なくとも一つの蓋部１２と、ベースのパイプ受容部と蓋部との間に挟まれたパイプを固定するボルト２０およびナット３０と、ボルトの先端とナットとの間に位置するボルトの有効ネジ部２５を保護する保護手段とを具備する。前記保護手段は、前記有効ネジ部を被覆するのに十分な長さを有する前記ナットの一部分であり、前記ボルトの先端側に位置する前記ナットの開口部を閉鎖する閉鎖手段を具備し、該閉鎖手段の凸部が前記ナットの前記開口部に係合させて構成する。【選択図】図１
0003149517.tif 000002
【実用新案登録請求の範囲】
【請求項１】
パイプを受容するパイプ受容部を備えたベースと、
該ベースに回動可能に取付けられた少なくとも一つの蓋部と、
前記ベースの前記パイプ受容部と前記蓋部との間に挟まれたパイプを固定するボルトおよびナットと、
前記ボルトの先端と前記ナットとの間に位置する前記ボルトの有効ネジ部を保護する保護手段とを具備するクランプ装置。
【請求項２】
前記保護手段は、前記有効ネジ部を被覆するのに十分な長さを有する前記ナットの一部分である請求項１に記載のクランプ装置。
【請求項３】
さらに、前記ボルトの先端側に位置する前記ナットの開口部を閉鎖する閉鎖手段を具備する請求項２に記載のクランプ装置。
【請求項４】
前記ナットが袋ナットである請求項２に記載のクランプ装置。
【請求項５】
前記保護手段は、前記ナットに結合していて前記有効ネジ部を被覆するのに十分な長さを有するスリーブである請求項１に記載のクランプ装置。
【請求項６】
さらに、前記ボルトの先端側に位置する前記スリーブの開口部を閉鎖する閉鎖手段を具備する請求項５に記載のクランプ装置。
【請求項７】
前記保護手段は、前記ナットに係合していて前記有効ネジ部を被覆するのに十分な長さを有するキャップである請求項１に記載のクランプ装置。
【考案の詳細な説明】
【技術分野】
【０００１】
本考案は、パイプを固定するクランプ装置に関する。特に本考案は、塗装現場などで足場を組立てるのに使用されるパイプを固定するクランプ装置に関する。
【背景技術】
【０００２】
一般に塗装作業などを行う建設現場においては、作業者が作業を行うための足場が組立てられる。このような足場は、柱または梁などを構成する複数のパイプをクランプ装置によって互いに結合させることにより組立られている。クランプ装置に保持されたパイプはボルトおよびナットで締め付けることにより固定される。
【特許文献１】特開平１０−３７４５４号公報
【考案の開示】
【考案が解決しようとする課題】
【０００３】
しかしながら、組立てられた足場を用いて塗装作業が行われる場合には、クランプ装置のナットから突出したボルトの先端部分に塗料が付着する可能性がある。塗装作業を長時間に亙って行うと、塗料がボルトの先端部分におけるネジ部に部分的に堆積するようになる。このような場合には、足場を解体する際においてクランプ装置のナットを取外すのが困難になる。このため、従来においてボルトのネジ部に塗料が堆積した場合には、足場を解体する前に、作業者が塗料をワイヤブラシなどで除去する必要があった。このような除去作業は、煩雑である上に、作業時間全体が遅延する原因にもなっていた。
【０００４】
また、船舶、橋梁および石油タンクなどの鋼構造物を塗装する前には、研掃材を鋼構造物の表面に高速投射することにより鋼構造物表面の付着物を除去するブラスト作業、例えばショットブラストおよびサンドブラストが行われている。前述した足場を用いてブラスト作業が行われる場合には、ナットから突出したボルトの先端部分に研掃材が衝突して先端部分を損傷させることにもなりうる。
【０００５】
そのような場合には、足場解体時に、クランプ装置のナットを取外すのがさらに困難になり、足場解体作業に要する時間が大幅に増すという問題が生じていた。また、ネジ山が破損した場合には、そのネジ山を有するボルトを廃棄せざるを得ないため、経済的にも好ましいものではない。
【０００６】
さらに、粉塵、汚泥またはセメントなどを扱う建築構造物の工事現場においても、このような問題が同様に生じることが懸念される。
【０００７】
本考案はこのような事情に鑑みてなされたものであり、ボルトの有効ネジ部への塗料などの堆積およびボルトの有効ネジ部の損傷を防止することのできるクランプ装置を提供することを目的とする。
【課題を解決するための手段】
【０００８】
前述した目的を達成するために１番目の考案によれば、パイプを受容するパイプ受容部を備えたベースと、該ベースに回動可能に取付けられた少なくとも一つの蓋部と、前記ベースの前記パイプ受容部と前記蓋部との間に挟まれたパイプを固定するボルトおよびナットと、前記ボルトの先端と前記ナットとの間に位置する前記ボルトの有効ネジ部を保護する保護手段とを具備するクランプ装置が提供される。
【０００９】
すなわち１番目の考案においては、保護手段によってボルトの先端とナットとの間の有効ネジ部が保護されるので、塗料などが有効ネジ部に堆積することはなく、また研掃材などによって有効ネジ部が破損されることもない。従って、クランプ装置が足場を形成するのに使用されている場合には、足場の解体に要する時間を短くすることができる。
【００１０】
２番目の考案によれば、１番目の考案において、前記保護手段は、前記有効ネジ部を被覆するのに十分な長さを有する前記ナットの一部分である。
すなわち２番目の考案においては、有効ネジ部を被覆できる長さのナットを形成すれば足りるので、比較的簡易な構成により保護手段を形成できる。
【００１１】
３番目の考案によれば、２番目の考案において、さらに、前記ボルトの先端側に位置する前記ナット開口部を閉鎖する閉鎖手段を具備する。
すなわち３番目の考案においては、ナットの開口部から塗料または研掃材が進入してボルトとナットとの間で食込むのを防止できる。閉鎖手段は樹脂製であるのが好ましく、それにより、閉鎖手段を容易に取付けおよび取外しできる。また、閉鎖手段はナットの外周部分または内周部分に係合するものとする。
【００１２】
４番目の考案によれば、２番目の考案において、前記ナットが袋ナットである。
すなわち４番目の考案においては、閉鎖手段を用いることなしに、ナットの開口部から塗料または研掃材が進入するのを防止できる。
【００１３】
５番目の考案によれば、１番目の考案において、前記保護手段は、前記ナットに結合していて前記有効ネジ部を被覆するのに十分な長さを有するスリーブである。
すなわち５番目の考案においては、保護手段を含むナットの重量を軽くすることができる。
【００１４】
６番目の考案によれば、５番目の考案において、さらに、前記ボルトの先端側に位置する前記ナット開口部を閉鎖する閉鎖手段を具備する。
すなわち６番目の考案においては、ナットの開口部から塗料または研掃材が進入してボルトとナットとの間で食込むのを防止できる。なお、閉鎖手段は樹脂製であるのが好ましく、それにより、閉鎖手段を容易に取付けおよび取外しできる。また、閉鎖手段はナットの外周部分または内周部分に係合するものとする。
【００１５】
７番目の考案によれば、１番目の考案において、前記保護手段は、前記ナットに係合していて前記有効ネジ部を被覆するのに十分な長さを有するキャップである。
すなわち７番目の考案においては、保護手段を既存のクランプ装置に使用されるナットに取付けることができる。７番目の考案においては、保護手段は塗料および研掃材などにさらされることになるので、保護手段を比較的硬質の材料、例えば硬質の樹脂から形成するのが好ましい。
【考案を実施するための最良の形態】
【００１６】
以下、添付図面を参照して本考案の実施形態を説明する。以下の図面において同様な部材には同一の参照符号が付けられている。理解を容易にするために、これら図面は縮尺を適宜変更している。
図１は本考案の第一の実施形態に基づくクランプ装置の斜視図である。図１に示されるクランプ装置１０のベース１１には、パイプ（図示しない）を受容するのに適した略Ｃ字形状のパイプ受容部１１ａが形成されている。パイプ受容部１１ａの一端には、蓋部１２が回動軸部１３回りに回動可能に取付けられている。蓋部１２の内面１２ａは、パイプをパイプ受容部１１ａに押圧するように形成されている。
【００１７】
パイプ受容部１１ａの他端には、ボルト２０が回動軸部１４回りに回動可能に取付けられている。ボルト２０は、蓋部１２の先端において外側に突出する二つの突出部１２ｂの間に通される。これら突出部１２ｂの間の距離は、ボルト２０の横断方向幅よりも大きくて、後述するナット３０の横断方向幅よりも小さい。そして、図１から分かるように、ボルト２０のネジ部２５に螺合されるナット３０の基端３１が突出部１２ｂの縁部に係合する。これにより、クランプ装置１０は、パイプをベース１１と蓋部１２との間に把持することができる。
【００１８】
図示されるように、ベース１１に結合したベース１１’には、別のパイプ（図示しない）を受容する他のパイプ受容部１１ａ’が形成されている。さらに、蓋部１２’およびボルト２０’等がベース１１に同様に取付けられている。
【００１９】
図１から分かるように、このパイプ受容部１１ａ’は前述したパイプ受容部１１ａに対して垂直方向を向いている。従って、図１に示されるクランプ装置１０が二つのパイプ（図示しない）を把持する場合には、これら二つのパイプは互いに直交するように配置されている。なお、ベース１１、１１’は結合部回りに互いに回動可能に結合している。従って、これらベース１１、１１’の間の角度を変更することによって、二つのパイプがなす角度を所望のように変更できる。
【００２０】
図２（ａ）は図１に示されるクランプ装置のボルトおよびナットを拡大して示す部分拡大図であり、図２（ｂ）は図２（ａ）に示されるボルトおよびナットの長手方向断面図である。簡単にする目的で、これら図２（ａ）および図２（ｂ）ならびに後述する図面には、蓋部１２の突出部１２ｂなどは示していない。
【００２１】
図２（ａ）および図２（ｂ）に示されるように、ボルト２０の外周面にはネジ部２５が形成されており、ナット３０の内周面にはネジ部３５がナット３０の軸方向全体に形成されている。ボルト２０の先端２２をナット３０の基端３１から進入させて、ボルト２０のネジ部２５とナット３０のネジ部３５とを螺合させるようにする。
【００２２】
これら図面に示されるナット３０の螺合位置においては、ナット３０の基端３１が図示しない突出部１２ｂ（図１を参照されたい）に係合しているものとする。従って、外径が等しいパイプ（図示しない）を使用する限りにおいては、ナット３０の基端３１は、図２（ｂ）に示される位置Ｘよりもボルト２０の基端方向（左方向）に移動することはほとんどない。
【００２３】
言い換えれば、ナット３０は位置Ｘよりもボルト２０の先端２２の方向（右方向）におけるネジ部２５に主に螺合する。このため、本願明細書においては、ナット３０が主に螺合するボルト２０のネジ部２５の先端２２側の一部分を有効ネジ部２５ａと呼ぶこととする。
【００２４】
図２（ｂ）から分かるように、本考案においては、ナット３０の軸方向長さはボルト２０の有効ネジ部２５ａを被覆するのに十分に長い。一方、通常の長さのナットを使用する場合には、ボルト２０の有効ネジ部２５ａの大部分はナットの先端から突出することになる。そのような場合には、塗料が有効ネジ部２５ａの突出部分に堆積するか、または研掃材が衝突して有効ネジ部２５ａの突出部分を破損させる場合がある。
【００２５】
本考案においては、ナット３０がボルト２０の有効ネジ部２５ａを被覆するので、ナット３０は、有効ネジ部２５ａを保護する保護部としての役目を果たしうる。従って、本考案のクランプ装置１０を用いて組み立てられた足場において作業者が塗装作業を行う場合であっても、塗料が有効ネジ部２５ａに堆積することはない。このため、本考案のクランプ装置１０を使用している場合には、足場を解体する前に、作業者が有効ネジ部に堆積した塗料をワイヤブラシなどで除去する必要はなく、足場の解体に要する時間を短縮することが可能となる。
【００２６】
さらに、本考案においては、ナット３０がボルト２０の有効ネジ部２５ａを保護するので、研掃材の衝突によって有効ネジ部２５ａが破損することもない。それゆえ、足場の解体に要する時間をさらに短縮できる。さらに、本考案においては、従来のように有効ネジ部２５ａが破損したボルト２０を廃棄する必要もない。
【００２７】
図３（ａ）は本考案の第二の実施形態に基づくクランプ装置に使用されるボルトおよびナットの長手方向断面図である。図３（ａ）に示されるナット３０の先端３２には、スリーブ４０が結合している。図３（ａ）から分かるように、スリーブ４０の外周面はナット３０の外周面に概ね等しくなっている。さらに、スリーブ４０の内周面はナット３０の内周面よりも半径方向外側に位置している。つまり、スリーブ４０はボルト２０のネジ部２５に係合していない。
【００２８】
スリーブ４０はナット３０と同じ材料、例えば金属材料から形成されている。この場合には、スリーブ４０を溶接などでナット３０の先端３２に結合させられる。従って、既存のナット３０にスリーブ４０を容易に取付けることができる。あるいは、図３（ａ）に示されるスリーブ４０とナット３０とを一体的に形成するようにしてもよい。
【００２９】
第二の実施形態においては、スリーブ４０の軸方向長さはボルト２０の有効ネジ部２５ａを被覆するのに十分に長い。従って、スリーブ４０は有効ネジ部２５ａを保護する保護部としての役目を果たし、その結果、前述したのと同様な効果を得ることができる。さらに、図３（ａ）に示されるスリーブ４０が取付けられたナット３０は、図２（ａ）および図２（ｂ）に示されるナット３０と比較して軽量であるので、クランプ装置１０全体の軽量化を図ることが可能となる。
【００３０】
さらに、図３（ｂ）は本考案の第三の実施形態に基づくクランプ装置に使用されるボルトおよびナットの長手方向断面図である。図３（ｂ）に示されるナット３０は、その先端３２が閉鎖した袋ナットである。言い換えれば、ナット３０の先端３２には、開口部が形成されていない。
【００３１】
このような構成のナットを備えたクランプ装置１０を用いて組み立てられた足場において作業者が塗装作業を行う場合には、塗料および研掃材がナットの先端の開口部からナット３０の内部に進入することはない。このため、塗料および研掃材がボルト２０とナット３０との間に食込んで有効ネジ部２５ａが破損するのを防止できる。
【００３２】
図４（ａ）は本考案の第四の実施形態に基づくクランプ装置に使用されるボルトおよびナットの長手方向断面図である。図４（ａ）においては、図２の場合と同様のナット３０がボルト２０に螺合している。そして、キャップ５１がナット３０の先端３２に取付けられている。図４（ａ）に示されるキャップ５１は長手方向断面が凹状であり、キャップ５１の凹状の周囲部５１ａがナット３０の先端３２の外周部に係合するようになっている。
【００３３】
また、図４（ｂ）は第四の実施形態における他のボルトおよびナットの長手方向断面図である。図４（ｂ）に示されるキャップ５２は、長手方向断面が凸状であり、キャップ５２の凸部５２ａがナット３０の先端３２の開口部に係合するようになっている。
【００３４】
このようなキャップ５１、５２によってナット３０の開口部が閉鎖されるので、塗料および研掃材がナット３０の開口部からナット３０の内部まで進入することはない。従って、前述したのと同様に、塗料および研掃材がボルト２０とナット３０との間に食込んで有効ネジ部２５ａが破損するのを防止するのが可能となる。
【００３５】
さらに、図５は本考案の第五の実施形態に基づくクランプ装置に使用されるボルトおよびナットの長手方向断面図である。図５においては、通常の寸法のナット３０が使用されている。このため、図５に示されるナット３０はボルト２０の有効ネジ部２５ａよりも短く、従って、有効ネジ部２５ａのかなりの部分はナット３０から突出している。
【００３６】
図５に示される実施形態においては、キャップ５５がナット３０の先端３２に取付けられている。図５に示されるキャップ５５は長手方向断面が凹状であり、キャップ５１の凹部が先端３２の外周部に係合するようになっている。図示されるように、キャップ５５の軸方向長さはボルト２０の有効ネジ部２５ａを被覆するのに十分に長い。従って、ボルト２０の先端２２はキャップ５５の底部に接触していない。
【００３７】
このような構成であるために、塗料および研掃材がナットの先端の開口部からナット３０の内部に進入することはない。このため、前述したのと同様に、塗料および研掃材がボルト２０とナット３０との間に食込んで有効ネジ部２５ａが破損するのを防止できる。
【００３８】
これらキャップ５１、５２、５５は可撓性材料、例えば樹脂から形成されるのが好ましく、それにより、キャップ５１、５２、５５の取付けおよび取外しを容易に行うことができる。さらに、図面には示さないものの、キャップ５１、５５の周囲部５１ａ、５５ａに係合するための環状突起をナット３０外周面に形成してもよい。同様に、キャップ５２の凸部５２ａに係合するための環状溝部をナット３０の内周面に形成してもよい。このような場合には、キャップ５１、５２、５５を比較的堅固にナット３０に取付けられることが分かるであろう。
【００３９】
図面を参照して説明した実施形態においては、二つの丸形パイプをクランプするクランプ装置が示されている。しかしながら、三つのパイプをクランプできる三連クランプ、丸形のパイプと角型の鋼材とをクランプすることのできるクランプ装置、ならびに二つのパイプを同一直線上に配置する直線ジョイント式のクランプ装置であっても本考案の範囲に含まれることは、当業者であれば明らかであろう。
【図面の簡単な説明】
【００４０】
【図１】本考案の第一の実施形態に基づくクランプ装置の斜視図である。
【図２】（ａ）図１に示されるクランプ装置のボルトおよびナットを拡大して示す部分拡大図である。（ｂ）図２（ａ）に示されるボルトおよびナットの長手方向断面図である。
【図３】（ａ）本考案の第二の実施形態に基づくクランプ装置に使用されるボルトおよびナットの長手方向断面図である。（ｂ）本考案の第三の実施形態に基づくクランプ装置に使用されるボルトおよびナットの長手方向断面図である。
【図４】（ａ）本考案の第四の実施形態に基づくクランプ装置に使用されるボルトおよびナットの長手方向断面図である。（ｂ）第四の実施形態における他のボルトおよびナットの長手方向断面図である。
【図５】本考案の第五の実施形態に基づくクランプ装置に使用されるボルトおよびナットの長手方向断面図である。
【符号の説明】
【００４１】
１０    クランプ装置
１１、１１’    ベース
１１ａ、１１ａ’    パイプ受容部
１２、１２’    蓋部
１２ａ    内面
１２ｂ    突出部
１３    回動軸部
１４    回動軸部
２０、２０’    ボルト
２２    先端
２５    ネジ部
２５ａ    有効ネジ部
３０    ナット
３１    基端
３２    先端
３５    ネジ部
４０    スリーブ
５１、５２、５５    キャップ
５１ａ    周囲部
５１ａ、５５ａ    周囲部
５２ａ    凸部
【図１】
0003149517.tif 000003
【図２】
0003149517.tif 000004
【図３】
0003149517.tif 000005
【図４】
0003149517.tif 000006
【図５】
0003149517.tif 000007